(57)【特許請求の範囲】
【請求項１】
円柱形状の巻軸に軸方向に沿って形成され、かつ一方の内壁面に係止爪が設けられたスリットに、少なくとも先端側と後端側とに遮光紙が設けられた帯状の写真フイルムの後端側遮光紙を挿入し、該巻軸をフイルム巻き付け方向に回転させて写真フイルムをロール状に巻軸に巻き付ける写真用ロールフイルムの製造装置において、
前記スリットに後端側遮光紙を挿入する遮光紙挿入手段と、スリットに挿入された後端側遮光紙の先端が、該スリットの一方の内壁面に対面する他方の内壁面に当接するように巻軸を回転方向で位置決めする巻軸位置決め手段とを設けたことを特徴とする写真用ロールフイルムの製造装置。
【請求項２】
円柱形状の巻軸に軸方向に沿って形成され、かつ一方の内壁面に係止爪が設けられたスリットに、少なくとも先端側と後端側とに遮光紙が設けられた帯状の写真フイルムの後端側遮光紙を挿入し、該巻軸をフイルム巻き付け方向に回転させて写真フイルムをロール状に巻軸に巻き付ける写真用ロールフイルムの製造装置において、
前記スリットの向きが一定となるように巻軸を回転方向で位置決めする巻軸位置決め手段と、スリットに後端側遮光紙を挿入する遮光紙挿入手段と、スリットへの挿入時に後端側遮光紙の先端が係止爪に突き当たらないように、該遮光紙を幅方向において湾曲させる挿入ガイドとを設けたことを特徴とする写真用ロールフイルムの製造装置。
【発明の詳細な説明】
【０００１】
【発明の属する技術分野】
本発明は、写真用ロールフイルムの製造装置の改良に関するものである。
【０００２】
【従来の技術】
１２０，２２０タイプの写真用ロールフイルムは、円柱形状の軸部の両端に円板形状のフランジが一体に形成された巻軸であるスプールと、このスプールの軸部に巻き付けられる帯状の写真フイルムと、この写真フイルムと一緒にスプールに巻き付けられて写真フイルムを遮光する遮光紙とから構成されている。この１２０，２２０タイプの写真用ロールフイルムのカメラへの装填は、カメラの巻取り用のスプールに、幅狭になるようにカットされた遮光紙の先端を挿通して折り曲げ、遮光紙が巻き緩まないように押さえながら数周巻き付け、その状態でカメラにセットするという非常に難しいものであった。
【０００３】
１２０，２２０タイプの写真用ロールフイルムのカメラへの装填を容易に行えるようにするために、スリットの内部に係止爪が設けられたスプールと、先端に係止爪に係合される係止孔が設けられた遮光紙とを用いた写真用ロールフイルムが各種提案されている。このような写真用ロールフイルムに用いられているスプールのスリットの内部には、遮光紙の係止孔が係止爪から不用意に外れないように押さえる押さえリブが一体に形成されている。
【０００４】
【発明が解決しようとする課題】
しかしながら、遮光紙をスプールのスリットに挿入する際に、遮光紙の端縁が係止爪に突き当たって挿入不良を起こしてしまうという問題があった。これを解決するためには、スプールとこのスプールのスリットに遮光紙を挿入する搬送ローラとの距離を接近させ、遮光紙の端縁が係止爪に突き当たった際の撓みを少なくすればよいが、スプールと搬送ローラとの間には、写真フイルムの端部と遮光紙とを接着テープにより接合するスペースと、遮光紙を切断するスペースとが必要であるため、スプールと搬送ローラとの間をあまり接近させることはできない。
【０００５】
本発明は、上記問題点を解決するためのもので、スプールのスリットへの遮光紙の挿入不良を防止した写真用ロールフイルムの製造装置を提供することを目的とする。
【０００６】
【課題を解決するための手段】
上記問題点を解決するために、請求項１記載の写真用ロールフイルムの製造装置は、スリットに後端側遮光紙を挿入する遮光紙挿入手段と、スリットに挿入された後端側遮光紙の先端が、スリットの一方の内壁面に対面する他方の内壁面に当接するように、巻軸を回転方向で位置決めする巻軸位置決め手段とを設けたものである。これによれば、端縁が係止爪に突き当たることなく遮光紙をスリットに挿入することができる。
【０００７】
また、請求項２記載の写真用ロールフイルムの製造装置は、スリットの向きが一定となるように巻軸を回転方向で位置決めする巻軸位置決め手段と、スリットに後端側遮光紙を挿入する遮光紙挿入手段と、スリットへの挿入時に後端側遮光紙の先端が係止爪に突き当たらないように、該遮光紙を幅方向において湾曲させる挿入ガイドとを設けたものである。
【０００９】
【発明の実施の形態】
図１０は、本発明の製造装置により製造される写真用ロールフイルムの外観を示すものである。写真用ロールフイルム２は、１２０タイプのもので、円柱形状の軸部３の両端に円板形状のフランジ４が設けられたスプール５と、このスプール５の軸部３に巻き付けられる帯状の写真フイルムである写真フイルムストリップ６（図１２参照）と、この写真フイルムストリップ６のバック面側全体に裏紙として配置される遮光紙７とから構成されている。
【００１０】
スプール５は、フランジ４の端面にカメラのキー軸に係合されるチャッキング溝９が形成されている。また、図１１に示すように、軸部３には細長いスリット１０が軸方向に沿って形成されており、スリット１０の一方の内壁面１０ａには、略Ｔ字型の係止爪１１が一体に形成されており、他方の内壁面１０ｂには係止爪１１を中心として一対の押さえリブ１２が一体に形成されている。
【００１１】
図１２に示すように、遮光紙７は帯形状をしており、両端に製造時にスプール５に係止される後端部７ａと、カメラへの装填時にカメラのスプールに係止される先端部７ｂとが形成されている。これら後端部７ａ及び先端部７ｂは、スプール５のスリット１０に挿入しやすいようにカットされて幅狭にされている。なお、後端部７ａ，先端部７ｂの幅は、押さえリブ１２の間隔よりも狭くなっている。
【００１２】
また、先端部７ｂには、円形の係止孔１４が形成されている。そして、図１１に示すように、遮光紙７の先端部７ｂがスプール５のスリット１０内に挿入されると、係止孔１４に係止爪１１が係合し、押さえリブ１２は係止孔１４と係止爪１１とが外れる方向に遮光紙７が移動しないように遮光紙７を押さえている。
【００１３】
写真フイルムストリップ６は、遮光紙７の先端から規定の距離をおいて、先端のみが接着テープ１６によって遮光紙７の裏面側に固定されている。この接着テープ１６には、写真フイルムストリップ６のサイズ，感度，フイルム種を表すバーコードが印刷されている。このバーコードは、例えばカメラ等に組み込まれた読取り装置で読み取って撮影に用いることができる。
【００１４】
また、遮光紙７の表面の先端側には、未使用時に遮光紙７の外側に巻かれて遮光紙が巻き緩むのを防止する開封テープ１８が、後端側には撮影終了後に遮光紙７の外側に巻かれて遮光紙７が巻き緩むのを防止する封印テープ１９が貼着されている。これら開封テープ１８及び封印テープ１９は、図中斜線で示す部分のみが遮光紙７に貼着されている。
【００１５】
図２は、上記写真用ロールフイルム２を製造する製造ラインの構成を示す概略図である。フイルム供給装置２１は、ロール状に巻かれた長尺の連続写真フイルム２２と、この連続写真フイルム２２を一定長さずつ引き出す定尺引出し部２３と、サイズ，感度，フイルム種，ロットＮＯ．等の各種フイルム情報を連続写真フイルム２２にサイドプリントするサイドプリンタ２４とから構成されている。
【００１６】
フイルム供給装置２１とフイルム搬送路２５との間に配置されているカッター２６は、フイルム搬送路２５に向けて搬送される連続写真フイルム２２を一定長さごとに切断し、写真フイルムストリップ６に成形している。フイルム搬送路２５の下流側には、写真フイルムストリップ６の搬送方向の後端に、接着テープ１６を貼付する接着テープ貼付装置２７が配置されている。
【００１７】
遮光紙供給装置２９は、ロール状に巻かれた長尺の連続遮光紙３０と、この連続遮光紙３０を一定長さずつ引き出す定尺引出し部３１と、遮光紙７に成形された際に先端部７ｂと後端部７ａとになる部分にトリミングと、係止孔１４の穿孔とを行うダイセット３２とから構成されている。連続遮光紙３０は、遮光紙７が連続して印刷されたもので、製造時にスプール５に係止される後端側７ａを先頭にして搬送される。
【００１８】
遮光紙供給装置２９から連続遮光紙３０が送り込まれる遮光紙搬送路３４の下流側には、連続遮光紙３０の表面の所定の位置に封印テープ１９を貼付する封印テープ貼付装置３５が配置されている。また、その下流側には、連続遮光紙３０をフイルム巻取り装置３６に向けて搬送する搬送ローラ対３７と、連続遮光紙３０を所定の位置で切断して遮光紙７に成形するカッター３８とが設けられている。
【００１９】
フイルム搬送路２５と遮光紙搬送路３４とは途中で合流して、フイルム巻取り装置３６に向かう。フイルム巻取り装置３６は、スプールターレット４０，スプール供給部４１，スプール位置決め機４２，フイルム巻込み機４３，遮光紙折込み機４４，開封テープ貼付機４５，検査機４６，集積搬送路４７から構成されている。
【００２０】
スプールターレット４０は、軸４９に回転自在に取り付けられており、図中時計方向に４５度ずつ間欠回転される。このスプールターレット４０には、８個のスプールホルダ５０が設けられている。各スプールホルダ５０が停止する位置は、スプール５に対して各種作業が行われる第１ステーションＳＴ１〜第７ステーションＳＴ７となっている。
【００２１】
第１ステーションＳＴ１は、別のラインで製造され搬送されてきたスプール５をスプール供給部４１から受け取ってスプールホルダ５０にセットする。第２ステーションＳＴ２では、巻軸位置決め手段であるスプール位置決め機４２によってスプール５の位置決めを行う。
【００２２】
第２ステーションＳＴ２では、スプール位置決め機４２に含まれる図示しないスプール駆動軸がスプール５のチャッキング溝９に係合し、スプール５を図３に示すように反時計方向に１回転させる。また、スプール駆動軸のチャッキング溝９への係合と同時に、バネ５２によって一方向に付勢されたさぐり爪５３がスプール５の軸部３に接触する。このさぐり爪５３が接触する軸部３の外周面には、段差部５４が形成されている。
【００２３】
スプール５が１回転する間に段差部５４とさぐり爪５３とが対面し、図４に示すように、さぐり爪５３はバネ５２の付勢によって段差部５４に係合する。スプール駆動軸と、このスプール駆動軸を駆動するモータとの間には、スプール駆動軸に規定以上の負荷が加わるとモータを空回りさせるトルクリミッタ（図示せず）が組み込まれているので、スプール５がさぐり爪５３に係合されて停止している間にモータが１回転分の回転を終了して停止し、スプール５の位置決めが完了する。なお、位置決め完了後のスプール５は、スプール５の中心と、スプールターレット４０の軸４９とを結ぶ放射状のラインＬに対して、スリット１０の内壁面１０ｂの角度がθとなる状態となっている。
【００２４】
第３ステーションＳＴ３は、遮光紙挿入手段である搬送ローラ対３７によって遮光紙７の後端部７ａをスプール５のスリット１０に挿入させる。図１に示すように、スプールターレット４０の４５°の回転により第２ステーションＳＴ２から第３ステーションＳＴ３に移動したスプール５は、スプール５の中心と軸４９とを結ぶ放射状のラインＬに対する内壁面１０ｂの角度θが維持される。これにより、遮光紙搬送路３４を真っ直ぐに搬送されてきた遮光紙７の後端部７ａは、スリット１０に対してθの角度で進入し、端縁を内壁面１０ｂに沿わせてスリット１０内に挿入されるので、後端部７ａと係止爪１１とが突き当たることによる挿入不良は発生しない。
【００２５】
また、第３ステーションＳＴ３では、フイルム巻込み機４３によってスプール５をフイルム巻取り方向に回転させて、遮光紙７と写真フイルムストリップ６とを軸部３に巻き付ける。第４ステーションＳＴ４では、スプール５に巻き付けられた遮光紙７が巻き緩まないように押さえながら、遮光紙折込み機４４によって先端部７ｂを内側に折り込む。
【００２６】
また、第５ステーションＳＴ５では、開封テープ貼付機４５によって遮光紙７の外周に開封テープ１８を貼付する。第６ステーションＳＴ６では、検査機４６によって完成した写真用ロールフイルム２の外観検査を行う。第７ステーションＳＴ７では、スプールホルダ５０から写真用ロールフイルム２を取り外して、集積搬送路４７に排出する。
【００２７】
【実施例】
図５は、スリット１０への遮光紙７の挿入角度θと、挿入不良の発生率との調査を行った結果を示すグラフである。このグラフから分かるように、θが５〜２０°の範囲内であれば、ほぼ挿入不良の発生を０％に抑えることができ、７〜１６°の範囲では挿入不良の発生を確実に防止することができる。この結果から、スリット１０に遮光紙７を挿入する際の挿入角度θは、５〜２０°、好ましくは７〜１６°、更に好ましくは１０°となる。
【００２８】
なお、スプール５の軸部３に形成された段差部５４と、さぐり爪５３との係合によってスプール５の位置決めを行ったが、図６に示すように、回転するスプール５を挟んで投光部５６と受光部５７とからなる光電センサを配置し、この光電センサによる検知信号に基づいてスプール５の回転を停止させるようにしてもスプール５の位置決めを行うことができる。
【００２９】
また、スプールターレット４０の軸４９とスプール５の中心とを結ぶラインＬに対して、内壁面１０ｂがθとなる状態でスプール５の位置決めを行ったが、内壁面１０ｂがラインＬと平行になる状態でスプール５の位置決めを行い、内壁面１０ｂに対してθの角度で遮光紙７をスリット１０に進入させても同様の効果が得られる。
【００３０】
また、遮光紙７の後端部７ａの幅が、スプール５の押さえリブ１２の間隔より広い場合には、押さえリブ１２に遮光紙７の端縁が突き当たってしまうため、上記実施形態を用いても遮光紙７の挿入不良が発生してしまう。これを解決するためには、図７及び図８に示すように、遮光紙搬送路３４の下流側でスプールターレット４０の近傍に、遮光紙７を挟み込んで樋状に湾曲させるガイド面をもった挿入ガイド６０，６１を用いるとよい。これによれば、図９に示すように、遮光紙７の後端部７ａが係止爪１１と押さえリブ１２とを避けてスリット１０に挿入されるので、挿入不良の発生を防止することができる。
【００３１】
また、挿入ガイド６０，６１はそれぞれソレノイド６２，６３によって保持されており、遮光紙７の後端部７ａがスリット１０に挿入された後には、図中２点鎖線で示すように遮光紙７から離れる方向に退避するので、写真フイルムストリップ６に傷等を発生させることはない。
【００３２】
なお、遮光紙７を樋状に湾曲させてスリット１０に挿入する場合の第２ステーションＳＴ２でのスプール５の位置決めは、スプール５の中心とスプールターレット４０の軸４９とを結ぶ放射状のラインＬと内壁面１０ｂとが平行になるように位置決めする。
【００３３】
また、１２０タイプの写真用ロールフイルムの製造装置について説明したが、本発明は２２０タイプの写真用ロールフイルムの製造装置にも用いることができる。
【００３４】
【発明の効果】
以上説明したように、本発明の写真用ロールフイルムの製造装置によれば、スリットの係止爪が設けられていない側の他方の内壁面に対して遮光紙の先端が当接するように、スリットに遮光紙を挿入するようにしたので、遮光紙の端縁と係止爪とが突き当たることによる遮光紙の挿入不良を防止することができる。
【００３６】
更に、係止爪に端縁が突き当たらないように遮光紙を樋状に湾曲させてスリットに挿入するようにしたので、同様に遮光紙の端縁と係止爪とが突き当たることによる遮光紙の挿入不良を防止することができる。
【図面の簡単な説明】
【図１】スリットに遮光紙を挿入する際の状態を示す要部断面図である
【図２】写真用ロールフイルムの製造ラインの概略図である。
【図３】スプール位置決め開始時の状態を示す要部断面図である。
【図４】スプール位置決め完了時の状態を示す要部断面図である。
【図５】スリットへの遮光紙の挿入角度と挿入不良発生率との関係を示すグラフである。
【図６】スプール位置決めの別の方法を示す要部断面図である。
【図７】別の実施形態の写真用ロールフイルムの製造ラインの概略図である。
【図８】別の実施形態の遮光紙挿入ガイドの構成を示す分解斜視図である
【図９】別の実施形態の遮光紙挿入状態を示すスプールの正面図である。
【図１０】写真用ロールフイルムの外観を示す斜視図である。
【図１１】遮光紙係止時のスプールの正面図である。
【図１２】写真用ロールフイルムの構成を示す分解斜視図である。
【符号の説明】
２  写真用ロールフイルム
３  軸部
５  スプール
６  写真フイルムストリップ
７  遮光紙
７ａ  後端部
７ｂ  先端部
１０  スリット
１１  係止爪
１２  押さえリブ
１４  係止孔
３６  フイルム巻取り装置
【図１】
0003576714.tif 000002
【図２】
0003576714.tif 000003
【図３】
0003576714.tif 000004
【図４】
0003576714.tif 000005
【図５】
0003576714.tif 000006
【図６】
0003576714.tif 000007
【図７】
0003576714.tif 000008
【図８】
0003576714.tif 000009
【図９】
0003576714.tif 000010
【図１０】
0003576714.tif 000011
【図１１】
0003576714.tif 000012
【図１２】
0003576714.tif 000013